(57)【要約】【課題】大型なヒンジ部材であっても、取付ける各部材が安定し組付けられ、組付精度が確保できるコンソールボックスの組付構造を提供する。【解決手段】アウター部材１０には、ヒンジ部材５０を組付ける時に位置決めを行う第１位置決め部２４，５４と、ロック部材６０の組付ける時に位置決めを行う第２位置決め部１４，６４を有しており、インナー部材３０には、ロック部材６０を仮止めするための仮止め部４２，６２を有し、ヒンジ部材５０が、第1位置決め部２４，５４を基準にアウター部材１０に固定され、ロック部材６０が仮止めされたインナー部材３０が、アウター部材１０に設けられた第２位置決め部１４，６４を基準にロック部材６０を位置決めし、ロック部材６０とインナー部材３０がアウター部材１０に固定され、リッド１を、ヒンジ部材５０によりコンソールボックス本体７０に、開閉可能に組付ける。【選択図】図１
2011201442.tif 000002
【特許請求の範囲】
【請求項１】
コンソールボックス本体の一端側に組付けられるヒンジ部材と、
前記コンソールボックス本体の上部に設けられ、前記ヒンジ部材の一端側が組付けられるリッドを有し、
前記リッドは、アウター部材とインナー部材からなり、
前記アウター部材には、前記ヒンジ部材を組付ける時に位置決めを行う第１位置決め部と、ロック部材の組付ける時に位置決めを行う第２位置決め部を有しており、
前記インナー部材には、前記ロック部材を仮止めするための仮止め部を有し、
前記ロック部材は、前記インナー部材に前記仮止め部により仮固定され、
前記ヒンジ部材が、前記第1位置決め部を基準に前記アウター部材に固定され、
前記ロック部材が仮止めされた前記インナー部材が、前記アウター部材に設けられた前記第２位置決め部を基準に前記ロック部材を位置決めし、前記ロック部材と前記インナー部材が前記アウター部材に固定され、
前記ロック部材、前記アウター部材及び前記インナー部材が固定された前記リッドを、前記ヒンジ部材により前記コンソールボックス本体に、前記リッドを前記コンソールボックス本体に対し開閉可能に組付けることを特徴とするコンソールボックスの組付構造。
【請求項２】
前記アウター部材には、前記インナー部材の左右方向の組付け位置を規制する第３位置決め部をさらに有することを特徴とする請求項１記載にコンソールボックの組付構造。
【発明の詳細な説明】
【技術分野】
【０００１】
本発明は、コンソールボックスの組付構造に関し、コンソールボックスへリッド等の各部品を組付ける工程で、その組付精度の管理が容易で、組付が確実に行えるコンソールボックスの組付構造に関するものである。
【背景技術】
【０００２】
従来のコンソールボックスのリッドは、リッド後端側にヒンジ部材が組付けられ、リッドが開閉可能に、ヒンジ部材の他端側がコンソールボックス本体に組付けられる。リッド先端側には、ロック部材が組付けられ、ロック部材の係止部がコンソールボックス本体の一部に係止され、リッドが閉状態に維持されるようになっている。（特許文献１）
【先行技術文献】
【特許文献】
【０００３】
【特許文献１】特許第３４４８４６０号  上記の様なコンソールボックスの構成では、ヒンジ部材とロック部材の組付け精度の管理が必要となる。すなわち、これらの部材が精度良く組付けられていない場合には、ロック部材の係止部がコンソールボックス本体に係合しなかったり、コンソールボックス本体に干渉してしまうという問題が発生する。  特に、リッドが複雑化し、例えばインナー部材、アウター部材に分離され構成される場合や、ヒンジ部材等が大型化した場合には、組付け手順や組付け方法によっては各部材が安定せず、組付けにくかったり、組付精度が確保できないという問題が発生する。
【発明の概要】
【発明が解決しようとする課題】
【０００４】
従って本発明が解決しようとする課題は、リッドがインナー部材、アウター部材に分離され、ヒンジ部材が大型なものであっても、取付ける各部材が安定し組付けられ、組付精度が確保できるコンソールボックスの組付構造を提供することである。
【課題を解決するための手段】
【０００５】
上記目的を達成するために、本発明の請求項１に記載のコンソールボックスの組付構造では、コンソールボックス本体の一端側に組付けられるヒンジ部材と、コンソールボックス本体の上部に設けられ、ヒンジ部材の一端側が組付けられるリッドを有し、リッドは、アウター部材とインナー部材からなり、アウター部材には、ヒンジ部材を組付ける時に位置決めを行う第１位置決め部と、ロック部材の組付ける時に位置決めを行う第２位置決め部を有しており、インナー部材には、ロック部材を仮止めするための仮止め部を有し、ロック部材はインナー部材に仮止め部により仮固定され、ヒンジ部材が、第１位置決め部を基準にアウター部材に固定され、ロック部材が仮止めされたインナー部材が、アウター部材に設けられた第２位置決め部を基準にロック部材を位置決めし、ロック部材とインナー部材がアウター部材に固定され、ロック部材、アウター部材及びインナー部材が固定されたリッドを、ヒンジ部材によりコンソールボックス本体に、リッドをコンソールボックス本体に対し開閉可能に組付けることを特徴とする。
【０００６】
請求項１に記載のコンソールボックスの組付構造は、アウター部材にロック部材及びヒンジ部材の位置決めを行う位置決め部材を基準に取付ける構成としたので、組付精度を確保できると共に、安定に組付けることができる。
【０００７】
請求項２に記載のコンソールボックスの組付構造では、アウター部材には、インナー部材の左右方向の組付け位置を規制する第３位置決め部をさらに有することを特徴とする。
【０００８】
上記構成では、アウター部材に更にインナー部材の左右方向の位置決めを行う第３位置決め部を更に設けたため、インナー部材とアウター部材の両サイドにスキを一定に管理することができ、見栄え良く組付けることができる。特にアウター部材の表面側に表皮材を有する構成では、アウター部材の両サイドに巻き込まれた表皮材のスキが一定になり更に高級感を得ることができる。
【発明の効果】
【０００９】
本発明のコンソールボックスの組付構造は、アウター部材にロック部材及びヒンジ部材の位置決めを行う位置決め部材を基準に取付ける構成としたので、組付精度を確保できると共に、安定に組付けることができる。
【図面の簡単な説明】
【００１０】
【図１】本発明の実施例におけるコンソールボックスの正面方向からみた斜視図である。
【図２】本発明の実施例におけるリッドのアウター部材にヒンジ部材を位置決めし、取付ける状態を示す斜視図である。
【図３】本発明の実施例におけるアウター部材、ロック部材、インナー部材の組付け状態を示す上方からみた斜視図である。
【図４】本発明の実施例におけるアウター部材、ロック部材、インナー部材の組付け状態を示す下方からみた斜視図である。
【図５】本発明の実施例におけるコンソールボックスの後ろ方向からみた斜視図である。
【発明を実施するための形態】
【００１１】
以下、本件発明のコンソールボックスの組付構造を適用した、一実施例について説明する。
【実施例】
【００１２】
図１は、本発明の実施例におけるコンソールボックス１００の正面方向からみた斜視図である。
【００１３】
このコンソールボックス１００は、コンソールボックス本体７０の上部に後述するヒンジ部材５０（図５参照）により開閉可能に取付けられており、リッド１はアウター部材１０、インナー部材３０及びロック部材６０より構成されている。ロック部材６０の操作部６９が、インナー部材３０の前面側に略面一の取付けられ、この操作部６９を後方に押圧することにより後述する係止部６８（図４参照）がコンソールボックス本体７０と係合が解除され、リッド１を開方向に動作させることができる。
【００１４】
図２は、本発明の実施例におけるリッド１のアウター部材１０にヒンジ部材５０を位置決めし、取付ける状態（図は仮止め状態を示し、この後ネジ（図示せず）止めを行う）を示す斜視図である。
【００１５】
アウター部材１０の裏面側の前側に設けられた係止部２０に、ヒンジ部材５０に設けられた係合孔部５６を係合させると共に、アウター部材１０の中央より前方側に設けられた第１位置決め突起２４を、ヒンジ部材５０に設けられた第１位置決め孔部５４に挿入することによりヒンジ部材５０の位置決めを行う第１位置決め部として機能させている。
アウター部材１０の前側には、ロック部材６０の位置決めを行う第２位置決め部としての第２位置決め突起１４が設けられており、第１位置決め部としての第１位置決め突起２４との距離をできるだけ短くし、位置決め精度が向上するように構成されている。
ヒンジ部材５０は略Ｌ字上をなし、コンソールボックス本体７０側に取付けられる本体取付部５１ａと、リッド１側に取付けられるリッド取付部５１ｂからなり、リッド１を開放方向に付勢するバネ５８と共に軸支されている。
【００１６】
図３は、本発明の実施例におけるアウター部材１０、ロック部材６０、インナー部材３０の組付け状態を示す上方からみた斜視図である。
【００１７】
ロック部材６０は、前面側に操作部６９を有し、上部には、アウター部材１０との位置決めをするための第２位置決め部としての第２凹部６４を有している。ロック部材６０の左右両側には、アウター部材１０とインナー部材３０一体的に組付けるための取付孔部６６があり、この取付孔部６６の後ろ側には、インナー部材３０と仮止めを行うための仮止め部としての仮止め孔部６２を有している。
【００１８】
インナー部材３０の左右両側には、ロック部材６０とアウター部材１０を一体的に組付けるための取付孔部３２があり、この取付孔部３２の後ろ側には、ロック部材６０の仮止め孔部６２に挿入され仮止めを行うための仮止め部としての仮止め突起４２が左右両側に設けられている。この仮止め突起４２の左右外側には、アウター部材１０との取り付け時のスキを規制するため、第３の位置決め部としての第３位置決めリブ３６が設けられている。
インナー部材３０の左右両側には６箇所、中央部分に４箇所、アウター部材１０の取付係止部２６が係合する取付孔部４６が設けられている。さらに後端側には、アウター部材１０に設けられた第４位置決め突起１８が挿入され位置決めを行うための第４位置決めボス３８が設けられている。
【００１９】
図４は、本発明の実施例におけるアウター部材１０、ロック部材６０、インナー部材３０の組付け状態を示す下方からみた斜視図である。
【００２０】
アウター部材１０の前側の左右両側には、インナー部材３０及びロック部材を取付ネジ８０により組付けるための取付ボス１２が設けられている。この外側には、インナー部材３０に設けられた第３位置決めリブ３６に当接しインナー部材３０とのスキを規制する第３位置決め突起１６が左右両側に設けられている。（図４では一方のみ図示）
また、中央の４箇所にヒンジ部材５０を、取付孔部５２でネジ止めするための取付ボス２２が設けられ、前側の取付ボス２２の間には、ヒンジ部材５０の前端側に設けられた係合孔部５６に係合する係止部２０が設けられている。
さらに、アウター部材１０の左右両側には、インナー部材３０に設けられた取付孔部４６に係合する取付係止部２６が設けられている。後端部には、第４位置決め突起１８が設けられている。
ロック部材６０には、リッド１が閉状態のときコンソールボックス本体７０に係止しる、係止部６８が設けられており、操作部６９を押すことにより、前後に移動するように構成されている。
【００２１】
図５は、本発明の実施例におけるコンソールボックス１００の後ろ方向からみた斜視図である。
【００２２】
コンソールボックス本体７０の係止部７２を、ヒンジ部材５０の開口部５９の下端部を係止させて仮止めし、ヒンジ部材５０のコンソールボックス本体７０の内方に挿入されたヒンジ部材５０の下面をネジ止め（図示せず）し組み付ける。
【００２３】
次に、本実施例のコンソールボックス１００の組み付けを、順を追って説明する。
まず、図２に示すように、ヒンジ部材５０の係合孔部５６をアウター部材１０の係止部２０に係合させると共に、第１位置決め突起２４を第１位置決め孔部５４（第１位置決め部）に挿入することによりアウター部材１０とヒンジ部材５０の位置決めを行う。この状態で、ヒンジ部材５０をアウター部材１０の取付ボス２２に、取付孔部５２から取付ネジ（図示せず）により固定する。
【００２４】
次に、インナー部材３０にロック部材６０を、操作部６９を押した（縮めた）状態で、仮止め孔部６２を仮止め突起４２に挿入し仮止めを行う。ロック部材６０を仮止め突起４２挿入後、操作部６９が伸び、インナー部材３０の開口部４９に係止され仮止めが完了する。
【００２５】
この仮止めが完了したインナー部材を、アウター部材１０にヒンジ部材５０が取付られた状態のものに上方から組付けることで、アウター部材１０に設けられた取付係止部２６がインナー部材に設けられた取付孔部４６に係止される。このとき、アウター部材１０とロック部材６０の位置決めが、第２位置決め突起１４と第２凹部６４（第２位置決め部）との間で、アウター部材１０とインナー部材の左右の位置決めが、第３位置決め突起１６と第３位置決めリブ３６（第３位置決め部）との間で行われる。さらに後端側では、第４位置決め突起１８と第４位置決めボス３８（第4位置決め部）により位置決めが行われる。この状態でインナー部材３０の取付孔部３２より取付ネジ８０を挿入し、インナー部材３０とロック部材６０をアウター部材１０に組付ける。
【００２６】
これら組付けられたリッド１及び、ヒンジ部材５０を、ヒンジ部材５０の一端側を、開口部５９をコンソールボックス本体７０に設けられた係止部７２に係止し、ネジ止めにより取付を完了する。
【符号の説明】
【００２７】
１      リッド
１０    アウター部材
１２    取付ボス
１４    第２位置決め突起（第２位置決め部）
１６    第３位置決め突起（第３位置決め部）
１８    第４位置決め突起（第４位置決め部）
２０    係止部
２２    取付ボス
２４    第１位置決め突起（第１位置決め部）
２６    取付係止部
３０    インナー部材
３２    取付孔部
３６    第３位置決めリブ（第３位置決め部）
３８    第４位置決めボス（第４位置決め部）
４２    仮止め突起（仮止め部）
４６    取付孔部
４９    開口部
５０    ヒンジ部材
５１ａ  本体取付部
５１ｂ  リッド取付部
５２    取付孔部
５４    第１位置決め孔部（第１位置決め部）
５６    係止孔部
５８    バネ
５９    開口部
６０    ロック部材
６２    仮止め孔部（仮止め部）
６４    第２凹部（第２位置決め部）
６６    取付孔部
６８    係止部
６９    操作部
７０    コンソールボックス本体
７２    係止部
８０    取付ネジ
１００  コンソールボックス
【図１】
2011201442.tif 000003
【図２】
2011201442.tif 000004
【図３】
2011201442.tif 000005
【図４】
2011201442.tif 000006
【図５】
2011201442.tif 000007